(57)【要約】【課題】花輪に設けられた装飾基板の取付穴に発光体の保持部材を取付ける際、接着剤を用いずに、保持部材を簡単且つ確実に固定することを可能とした花輪用発光体取付装置を提供する。【解決手段】保持部材１０の筒部１１の外周にリング部材１４を少なくとも２重に嵌着するものとし、夫々のリング部材１４の穴部１５の内径は小径側１５ｂが筒部１１の外周に密着した状態で嵌入可能なテーパ状に形成され、装飾基板２の取付穴８に保持部材１０の筒部１１を挿着した状態にして、第１のリング部材１４ａの穴部１５を大径側１５ａから保持部材１０の筒部１１に嵌入して装飾基板２を挟むことにより該保持部材１０を固定し、筒部１１の外周に第２のリング部材１４ｂの穴部１５を大径側１５ａから嵌入して筒部１１を絞り込むことにより、該筒部１１の空洞部１１ａに挿着した発光体９の抜け出しを防止する。【選択図】図３
2006252924.tif 000002
【特許請求の範囲】
【請求項１】
発光体の保持部材は花輪用装飾基板の取付穴に挿着される筒部と該筒部の一端に形成された鍔部と該鍔部の表側に形成された装飾部とを有し、前記保持部材の筒部の外周にリング部材を嵌着することにより該保持部材を前記装飾基板に固定するようにした花輪用発光体取付装置において、前記保持部材の筒部の外周にリング部材を少なくとも２重に嵌着するものとし、夫々のリング部材の穴部の内径は小径側が筒部の外周に密着した状態で嵌入可能なテーパ状に形成され、該保持部材の筒部を前記装飾基板の取付穴に挿着した状態にして、第１のリング部材の穴部を大径側から前記保持部材の筒部に嵌入して前記装飾基板を挟むことにより該保持部材を固定し、また前記保持部材の筒部の空洞内に発光体を挿着した状態で該筒部の外周に第２のリング部材の穴部を大径側から嵌入して前記筒部を絞り込むことにより、該筒部の空洞部に挿着した発光体の抜け出しを防止するようにしたことを特徴とする花輪用発光体取付装置。
【請求項２】
前記リング部材の外形は、前記穴部の大径側がフラットな面を有し、前記穴部の小径側が周部に至るに従って薄厚を成す勾配面を有することを特徴とする請求項１記載の花輪用発光体取付装置。
【請求項３】
前記発光体の保持部材とリング部材とはポリエチレンから成ることを特徴とする請求項１又は２記載の花輪用発光体取付装置。
【請求項４】
前記発光体の保持部材における装飾部は花びら形状に形成されていることを特徴とする請求項１、２又は３記載の花輪用発光体取付装置。
【発明の詳細な説明】
【技術分野】
【０００１】
本発明は、葬祭等に用いる花輪に発光体を取付けることにより、夜間における照明を可能とした花輪用発光体取付装置に関するものである。
【背景技術】
【０００２】
従来より、葬儀や開店祝等において、式場や入口周辺等に飾るようにした花輪は、昼間の明るい環境においては華やかに見えるが、夜間になって暗くなると、ほとんど見えなくなるものであった。特に、照明設備の不充分な場所において通夜等の葬儀を行う場合、弔問客には花輪がほとんど見えないというのが現状である。
【０００３】
このような問題を解消するために、例えば、特許文献１に記載された「花輪用光装飾装置」がある。この装置は、図６又は図７に示すように、金属リング３１を同心状に配置した骨組３２をスタンド３３で支持すると共に、骨組３２に円形の金網３５を取付けることによって花輪本体３０を形成し、金網３５の前面側に多数の造花３７を取付けてなるものである。
【０００４】
また、金属リング３１に所定間隔で脚部３８を着脱自在に取付け、それぞれの脚部３８の上端にリング状の可撓性部材３９を配置し、この可撓性部材３９にコード係止部４０を突設してあり、それぞれのコード係止部４０の先端に透明プラスチック製の電球収納部４１を取付け、該電球収納部４１に収納した電球４２の電源コード４３をコード係止部４０と可撓性部材３９に絡ませた構成としてあり、それぞれの電球４２を発光することによって花輪を照明するようにしている。
【０００５】
ところが、上記のように構成された特許文献１の装置は、花輪本体３０の前面側に多数の造花３７を個々に取付けるという面倒な作業のほかに、金属リング３１に脚部３８を所定間隔で取付ける作業、それぞれの脚部３８の上端にリング状の可撓性部材３９を配置する作業、この可撓性部材３９に突設されたコード係止部４０の先端に電球収納部４１を取付ける作業、さらにはそれぞれの電球収納部４１に収納した電球４２の電源コード４３をコード係止部４０と可撓性部材３９に絡ませる作業等を必要とし、それぞれの作業に面倒な手間を要するうえ、多くの部品点数を必要とするため、コスト高になるという問題があった。
【特許文献１】特開平９−１１５３１３号公報（第１、２頁、図４、図６）
【発明の開示】
【発明が解決しようとする課題】
【０００６】
本発明は、上記の問題を解消するためになされたもので、葬祭等に用いる花輪に簡単且つ安価な構成で所要数の発光体を設けることにより、花輪の表面を効果的に照らして夜間における綺麗な照明を可能にする作業において、花輪に設けられた装飾基板の取付穴に発光体の保持部材を取付ける際、接着剤を用いずに、保持部材を簡単且つ確実に固定することを可能とした花輪用発光体取付装置を提供することを目的とする。
【課題を解決するための手段】
【０００７】
上記の問題を解決するために、本発明の請求項１の花輪用発光体取付装置は、発光体の保持部材は花輪用装飾基板の取付穴に挿着される筒部と該筒部の一端に形成された鍔部と該鍔部の表側に形成された装飾部とを有し、前記保持部材の筒部の外周にリング部材を嵌着することにより該保持部材を前記装飾基板に固定するようにした花輪用発光体取付装置において、前記保持部材の筒部の外周にリング部材を少なくとも２重に嵌着するものとし、夫々のリング部材の穴部の内径は小径側が筒部の外周に密着した状態で嵌入可能なテーパ状に形成され、前記装飾基板の取付穴に前記保持部材の筒部を嵌着した状態にして、第１のリング部材の穴部を大径側から前記保持部材の筒部に嵌入して前記装飾基板を挟むことにより該保持部材を固定し、また前記保持部材の筒部の空洞内に発光体を挿着した状態で該筒部の外周に第２のリング部材の穴部を大径側から嵌入して前記筒部を絞り込むことにより、該筒部の空洞部に挿着した発光体の抜け出しを防止するようにしたことを特徴とする。
【０００８】
また、本発明の請求項２の花輪用発光体取付装置は、請求項１において、前記リング部材の外形は、前記穴部の大径側がフラットな面を有し、前記穴部の小径側が周部に至るに従って薄厚を成す勾配面を有することを特徴とする。
【０００９】
また、本発明の請求項３の花輪用発光体取付装置は、請求項１又は２において、前記発光体の保持部材とリング部材とはポリエチレンから成ることを特徴とする。
【００１０】
さらに、本発明の請求項４の花輪用発光体取付装置は、請求項１、２又は３において、前記発光体の保持部材における装飾部は花びら形状に形成されていることを特徴とする。
【発明の効果】
【００１１】
上記のように構成された本発明の花輪用発光体取付装置は、花輪の装飾基板の所要箇所に形成された取付穴に発光体の保持部材をリング部材の嵌着によって固定する構成とされているため、それぞれの取付穴の背後から発光体の各保持部材を取付け、次いで各保持部材の筒部にリング部材を嵌入する作業だけで、各発光体の保持部材を装飾基板の各取付穴に取付ける作業が完了する。
【００１２】
上記の花輪用発光装置の構造においては、保持部材の筒部の外周にリング部材を少なくとも２重に嵌着するものとし、夫々のリング部材の穴部の内径は小径側が筒部の外周に密着する状態で筒部に嵌入可能なテーパ状に形成されている。このような穴部の形状を有するリング部材（第１のリング部材）を装飾基板の取付穴に嵌入した保持部材の筒部に嵌着する場合、第１のリング部材を穴部の大径側から嵌入するようにすれば、嵌入作業は容易に行うことができる。
【００１３】
また、このようにして装飾基板の取付穴に対して第１のリング部材で保持部材を挟んだ状態にすると、この第１のリング部材を筒部から抜き出す方向に外力が作用した場合、第１のリング部材の小径側が筒部の外周に食い込んで、このリング部材の移動を防止するため、リング部材の穴部の小径側が抜け出し防止作用を発揮することとなる。
【００１４】
また、保持部材の筒部の空洞内に発光体を挿着した状態で該筒部の外周に第２のリング部材の穴部を大径側から嵌入して筒部を絞り込むことにより、該筒部の空洞部に挿着した発光体の抜け出しを防止することができる。また、第１のリング部材と同様の作用により、第２のリング部材自体の抜け出しを防止することができる。
【００１５】
さらに、上記の第１のリング部材と第２のリング部材とは、同様の穴部を有する同形状に形成されているため、第１のリング部材と第２のリング部材を区別することなく、保持部材の筒部に嵌入する作業を容易に行うことが可能となる。
【００１６】
また、リング部材の穴部の大径側と小径側とを外観的に区別するのは困難であるが、上記のリング部材の外形は、穴部の大径側がフラットな面を有し、穴部の小径側が周部に至るに従って薄厚を成す勾配面を有するため、外観によってどちら側が穴部の大径側であるか小径側であるかが容易に判明し、作業性を向上することが可能となる。
【発明を実施するための最良の形態】
【００１７】
以下、本発明の実施例について図面を参照しながら説明する。
【実施例１】
【００１８】
本発明による花輪用発光体取付装置は、花輪用の照明に用いる発光体を花輪の装飾基板に取り付けるものである。図１の花輪１は、金属棒又は金属パイプを円形等の所定形状に折曲してなる骨組３の前面に金網４が不図示の針金又はフリーバンド等で固定されると共に、骨組３がスタンド５で支持されることによって自立可能とされている。
【００１９】
また、外周が円形に形成された骨組３の前面には、合成樹脂によって形成された円弧形状の装飾基板２が設けられている。この装飾基板２は、円形を成す骨組３の前面に設けられた金網４の前面において、その周部に必要数の装飾基板２、２…を環状に取付けることによって周部を覆うものとなる。
【００２０】
ただし、図１において、装飾基板２は、円形の骨組３の一部に設けられた状態に図示してある。実際は、骨組３の周部のほかに、その内方に他の装飾基板２を設けたり、さらに中心の円形部３ａにも円形の基板（通常、ここには文字を形成することが多い）を設けることも可能であり、所望の花輪の意匠に応じて様々に計画することができる。
【００２１】
いずれにしても、図２の装飾基板２は、図１の骨組３の前面に設けられた金網４に不図示の針金又はフリーバンド等で接続することによって、骨組３の前面に取付けられる。また、この装飾基板２の表面に複数の花びら形状６、６…が形成されている。さらに、これらの花びら形状６、６…の間には複数の湾曲形状に凹ませた凹部７が形成されている。この凹部７に花輪用装飾基板２の取付穴８が形成されている。
【００２２】
本実施例において、発光体９の保持部材１０は、図３(ａ)、(ｂ)に示すように、上記の装飾基板２の取付穴８に挿着される筒部１１と該筒部１１の一端に形成された鍔部１２と該鍔部１２の表側に形成された装飾部１３とを有し、保持部材１０の筒部１１の外周にリング部材１４を嵌着することにより該保持部材１０を装飾基板２に固定するようにしたものである。
【００２３】
このような構成について、より詳細に述べると、図３(ａ)、(ｂ)に示すように、発光体９の保持部材１０に形成された筒部１１はその端部に円形状の鍔部１２が形成され、鍔部１２の表側には花びら形状を有する装飾部１３が形成されている。また、筒部１１は鍔部１２の反対側端部が開口された空洞部１１ａを有する。この空洞部１１ａは、発光体９を密着状態で挿入し得る内径を有するものである。
【００２４】
また、上記の保持部材１０は、筒部１１と鍔部１２と装飾部１３とを含めてポリエチレン等の合成樹脂により一体成形することによって安価且つ大量に製造することができる。また、保持部材１０をポリエチレンで一体成形した場合、装飾部１３の花びら形状は、ポリエチレンの有するやや白色を呈する透明色によって簡素な色合いを発揮し、冠婚葬祭用の花輪に設ける装飾品として適し、ＬＥＤによる発光体９からの光を透過して柔らかい輝度で発色することができる。
【００２５】
また、上記のような発光体９の保持部材１０の構造において、この保持部材１０の筒部１１の外周に、リング部材１４を少なくとも２重に嵌着するものとする。なお、本実施例においては、装飾基板２側に嵌着されるリング部材１４を第１のリング部材１４ａとし、その後から嵌着されるリング部材１４を第２のリング部材１４ｂとしている。
【００２６】
ただし、第１のリング部材１４ａと第２の保持部材１４ｂの形状はいずれも同様の構成を有し、後述するような同径の穴部１５を有するため、第１のリング部材１４ａと第２のリング部材１４ｂの区別をする必要がなく、各リング部材１４ａ、１４ｂの取り扱いにおいて面倒さがない。
【００２７】
また、図４(ａ)、(ｂ)に示すように、いずれのリング部材１４ａ、１４ｂにおいても、穴部１５の大径側１５ａ又は小径側１５ｂを外観的に区別するのは困難であるが、各リング部材１４ａ、１４ｂの外形は、穴部１５の大径側１５ａがフラットな面１６ａを有し、また穴部１５の小径側１５ｂが周部に至るに従って薄厚を成すように勾配面１６ｂを有するため、外観によってどちら側が穴部１５の大径側１５ａであるか、小径側１５ｂであるかを容易に判明することができ、作業性を向上することができる。
【００２８】
このようなリング部材１４もまた保持部材１０と同様にポリエチレンが好適する。このポリエチレンは、多少の柔軟性を有し、また押圧によって変形するが、元の形状に復帰する復元力を有する。
【００２９】
さらに、上記のリング部材１４の穴部１５の内径は、小径側１５ｂが筒部１１の外周に密着した状態で筒部１１に嵌入可能なテーパ状に形成されている。より具体的に説明すると、図４(ａ)、(ｂ)に示すように、保持部材１０の筒部１１の外径をＲとし、第１及び第２のリング部材１４ａ、１４ｂの穴部１５の大径側１５ａをｒ１、小径側１５ｂをｒ２とすると、ｒ２＜Ｒ＜ｒ１の関係を有することなる。
【００３０】
このような発光体９の保持部材１０を装飾基板２に取り付けるには、図５(ａ)に示すように、装飾基板２の取付穴８に保持部材１０の筒部１１を挿着した状態にして、図５(ｂ)に示すように、第１のリング部材１４ａの穴部１５を大径側１５ａから筒部１１の外周に嵌入して装飾基板２を挟み込む。
【００３１】
このような作業においては、第１のリング部材１４ａのフラットな面１６ａを装飾基板２側に向けて保持部材１０の筒部１１の外周に嵌着する。また、第１のリング部材１４ａの穴部１５の大径側１５ａから筒部１１の外周に嵌入するのであるから、容易に押し入れることができる。このとき穴部１５の小径側１５ｂ（小径ｒ２）は筒部１１の外周（外径Ｒ）を締め付けるように嵌合するが、この小径側１５ｂはリング部材１４のポリエチレンの柔軟性によって拡径する方向へ広げられることにより、容易に第１のリング部材１４ａを筒部１１の奥方へ移動することができる。
【００３２】
そして、第１のリング部材１４ａを装飾基板２の裏側に当接した時点で、保持部材１０を固定状態にする。また、第１のリング部材１４ａのフラットな面１６ａが装飾基板２の裏面に密着することとなる。このような状態において、第１のリング部材１４ａを筒部１１から抜き出す方向に外力が作用した場合、第１のリング部材１４ａの穴部１５の小径側１５ｂが筒部１１に食い込んで、この第１のリング部材１４ａの移動を防止する。このように、第１のリング部材１４ａにおける穴部１５の小径側１５ｂが保持部材１０の筒部１１からの抜け出しを防止するように作用する。
【００３３】
また、図５(ｃ)に示すように保持部材１０の筒部１１の空洞部１１ａに発光体９を挿入した後、図５(ｄ)に示すように第２のリング部材１４ｂを筒部１１の外周に嵌入する作業は、第２のリング部材１４ｂのフラットな面１６ａを装飾基板２の裏側に向けて、上記の第１のリング部材１４ａと同様に行うことができる。
【００３４】
また、第１のリング部材１４ａと同様に、第２のリング部材１４ｂの穴部１５の小径側１５ｂが筒部１１の外周に対して食い込むことによって抜け出しを防止することができ、第２のリング部材１４ｂの緩み止めとして作用する。また、第２のリング部材１４ｂは筒部１１の外周を絞り込んだ状態で嵌合するため、筒部１１の空洞部１１ａに挿着した発光体９の抜け出しを防止することができる。
【００３５】
なお、上記のようにリング部材１４を使用しない場合、保持部材１０を接着材で固定することが考えられるが、ポリエチレンに適する接着剤は存在しないのが通説であり、また適当な接着剤があったとしても作業が面倒であり、揮発性を有する接着剤である場合には健康を害するという問題が生じる。
【００３６】
さらに、ホットガンと称される工具（内部に棒状のポリエチレンを装填して熱で溶融された部分を射出する構造を有する）を用いて熱溶融されたポリエチレンを射出することによって、リング部材１４を筒部１１に固定するには作業が面倒となる。
【００３７】
ところが、本発明のリング部材１４は、穴部１５の形状を上記のように、穴部１５の内径は小径側１５ｂが筒部１１の外周に密着した状態で筒部１１に嵌入可能なテーパ状に形成され、保持部材１０の筒部１１の外周にリング部材１４を少なくとも２重に嵌着するものとし、装飾基板２の取付穴８に保持部材１０の筒部１１を挿着した状態にして、第１のリング部材１４ａの穴部１５を大径側１５ａから筒部１１に嵌入して装飾基板２を挟むことにより、該保持部材１０を固定することができる。
【００３８】
なお、本発明は、保持部材１０の筒部１１の外周にリング部材１４を少なくとも２重に嵌着するものであるが、上記のように第１と第２のリング部材１４ａ、１４ｂを使用するだけで、保持部材１０を装飾基板２に確実に固定し、また発光体９の抜け出しを防止することができる。ただし、さらにこれらの効果を強化するために、３枚目のリング部材を嵌合するようにしてもよい。
【００３９】
また、各発光体９に接続した電源コード９ａは、装飾基板２の背面側に隠蔽するように取り付けられるため、混乱しがちな電源コードをすっきりとまとめることができる。
【００４０】
また、上記の発光体９としては、ＬＥＤを用いることによって発熱を抑え、保持部材１０の筒部１１の空洞部１１ａに密着した状態にしても危険がなく、消費電力を大幅に低減することができ、また長期の寿命を有するものとして使用することができる。
【産業上の利用可能性】
【００４１】
本発明は、葬祭等に用いる花輪に簡単且つ安価な構成で所要数の発光体を設けることにより、花輪の表面を効果的に照らして夜間における綺麗な照明を可能にする作業において、花輪に設けられた装飾基板の取付穴に発光体の保持部材を取付ける際、接着剤を用いずに、リング部材の嵌着により保持部材を簡単且つ確実に固定することを可能とした花輪用発光体取付装置として利用することができる。
【図面の簡単な説明】
【００４２】
【図１】本発明による花輪用発光体取付装置を取付ける装飾基板を設けた花輪の正面図である。
【図２】本発明による花輪用発光体取付装置を取付ける装飾基板の正面図である。
【図３】(ａ)は本発明による花輪用発光体取付装置を装飾基板に取付けた状況を示す側面図であり、(ｂ)は保持部材とリング部材を断面で示す図である。
【図４】(ａ)は本発明による花輪用発光体取付装置を装飾基板に取付けた状況を示す部分拡大断面図であり、(ｂ)は(ａ)の矢印Ａで示す部分の拡大図である。
【図５】(ａ)〜(ｄ)は、本発明による花輪用発光体取付装置を装飾基板に取付ける手順を示す部分断面図である。
【図６】特許文献１の花輪用光装飾装置の側面図である。
【図７】特許文献１の花輪用光装飾装置の部分側面図である。
【符号の説明】
【００４３】
１  花輪
２  装飾基板
３  骨組
３ａ  円形部
４  金網
５  スタンド
６  花びら形状
７  凹部
８  取付穴
９  発光体
９ａ  電源コード
１０  保持部材
１１  筒部
１１ａ  空洞部
１２  鍔部
１３  装飾部
１４  リング部材
１４ａ  第１のリング部材
１４ｂ  第２のリング部材
１５  穴部
１５ａ  リング部材の穴部の大径側
１５ｂ  リング部材の穴部の小径側
１６ａ  リング部材のフラットな面
１６ｂ  リング部材の勾配を有する面
【図１】
2006252924.tif 000003
【図２】
2006252924.tif 000004
【図３】
2006252924.tif 000005
【図４】
2006252924.tif 000006
【図５】
2006252924.tif 000007
【図６】
2006252924.tif 000008
【図７】
2006252924.tif 000009